(57)【特許請求の範囲】
【請求項１】
水栓柱の上部に蛇口が装着される蛇口接続口を備えると共に該水栓柱の中途部に補助蛇口が装着される補助蛇口接続口を備える補助蛇口付の水栓柱において、
前記蛇口に連通する第１の導水路と前記補助蛇口に連通する第２の導水路とが別々の通路として設けられ、前記第１の導水路の下端部と第２の導水路の下端部とが凍結深度よりも深く埋設される位置で合流されて設けられ、
前記第１の導水路の少なくとも一部が起立状態に配される導水管によって構成され、前記第２の導水路の少なくとも一部が前記導水管と軸心を同心にして該導水管を内包する立上り管によって構成されていることを特徴とする補助蛇口付の水栓柱。
【請求項２】
水栓柱の上部に蛇口が装着される蛇口接続口を備えると共に該水栓柱の中途部に補助蛇口が装着される補助蛇口接続口を備え、水栓柱の上端部に設けられた操作部の操作によって通水状態と水抜き状態とに切換える補助蛇口付の不凍水栓柱であって、
前記蛇口に連通する第１の導水路と前記補助蛇口に連通する第２の導水路とが別々の通路として設けられ、前記第１の導水路の下端部と前記第２の導水路の下端部とが凍結深度よりも深く埋設される位置で合流することで構成される導水路合流部を備え、該導水路合流部の下側に水抜き弁機構が設けられていることを特徴とする補助蛇口付の不凍水栓柱。
【請求項３】
前記操作部と前記水抜き弁機構との間に接続されて該水抜き弁機構を動作させる動作伝達部の少なくとも一部が、水栓柱の中心軸と同軸に起立状態に配された導水管によって中空シャフト状に設けられ、該導水管が前記第１の導水路の少なくとも一部を兼ねる構成になっていることを特徴とする請求項２記載の補助蛇口付の不凍水栓柱。
【請求項４】
前記第２の導水路の少なくとも一部が前記導水管と軸心を同心にして該導水管を内包する立上り管によって構成されていることを特徴とする請求項３記載の補助蛇口付の不凍水栓柱。
【請求項５】
前記水抜き弁機構が、前記導水管に下方へ同軸に連続して設けられたスピンドル切換弁を備え、該スピンドル切換弁が通水状態となる通水位置に移動した場合には前記第１の導水路と前記第２の導水路とを前記導水路合流部を介して給水取入接続口に連通し、該スピンドル切換弁が水抜き状態となる水抜き位置に移動した場合には前記第１の導水路と前記第２の導水路とを前記導水路合流部を介して排水路に連通することを特徴とする請求項３又は４記載の補助蛇口付の不凍水栓柱。
【請求項６】
前記操作部の構成であるハンドルと該ハンドルに下方へ同軸に連続して設けられた前記導水管を介して前記スピンドル切換弁を上下動させるハンドルの操作機構が、カム機構によって構成されていることを特徴とする請求項５記載の補助蛇口付の不凍水栓柱。
【発明の詳細な説明】
【技術分野】
【０００１】
本発明は、水栓柱の上部に蛇口が装着される蛇口接続口を備えると共に該水栓柱の中途部に補助蛇口が装着される補助蛇口接続口を備える補助蛇口付の水栓柱及び不凍水栓柱に関する。
【背景技術】
【０００２】
上部に蛇口が装着されるように立上り管を備える水栓柱のうちの不凍水栓柱としては、例えば、ハンドル操作により通水状態又は水抜状態に切換える不凍水栓柱であって、通水状態又は水抜き状態への切換にカム部を含む運動変換機構を用いることで、ハンドルの操作角範囲を９０°前後まで狭くすることができ、操作時間の短縮とワンタッチによる容易な操作を実現できる装置（特許文献１参照）が、本出願人によって提案されている。
【０００３】
このような不凍水栓柱に代表される蛇口が一つだけ装着される水栓柱にあっては、たとえ水抜き状態としないで凍結してしまった場合にも、その凍結は、蛇口から始まって立上り管の中を徐々に下方へ進み、その凍結の圧力が地中の凍結深度よりも深いところへ逃げることになる。このため、水栓柱の器具が凍結して破損することはない。
【０００４】
これに対して、水栓柱の立上り管の中途部に補助蛇口が接続され、一つの立上り管について蛇口と補助蛇口が設けられている従来の補助蛇口付の水栓柱では、水栓柱の器具が凍結して破損してしまう。すなわち、従来の補助蛇口付の水栓柱では、蛇口と補助蛇口とが一つの立上り管を共用する形態となっており、補助蛇口の側が先に凍結すると、蛇口の側からの立上り管に至る凍結による圧力が逃げられず、水栓柱の器具が凍結破損してしまう。このため、このような従来の補助蛇口付の水栓柱については、寒冷地では使用できなかった。
【先行技術文献】
【特許文献】
【０００５】
【特許文献１】特許第３９９８６３５号公報（請求項１、［００１１］、図１）
【発明の概要】
【発明が解決しようとする課題】
【０００６】
補助蛇口付の水栓柱及び不凍水栓柱に関して解決しようとする課題は、従来の蛇口と補助蛇口とを備える水栓柱では、凍結によって水栓柱の器具が破損してしまうという問題があった。
そこで、本発明の目的は、蛇口と補助蛇口とを備える水栓柱であっても、凍結破損が起きない補助蛇口付の水栓柱及び不凍水栓柱を提供することにある。
【課題を解決するための手段】
【０００７】
本発明は上記目的を達成するために次の構成を備える。
本発明に係る補助蛇口付の水栓柱の一形態によれば、水栓柱の上部に蛇口が装着される蛇口接続口を備えると共に該水栓柱の中途部に補助蛇口が装着される補助蛇口接続口を備える補助蛇口付の水栓柱において、前記蛇口に連通する第１の導水路と前記補助蛇口に連通する第２の導水路とが別々の通路として設けられ、前記第１の導水路の下端部と第２の導水路の下端部とが凍結深度よりも深く埋設される位置で合流している。
【０００８】
また、本発明に係る補助蛇口付の水栓柱の一形態によれば、前記第１の導水路の少なくとも一部が起立状態に配される導水管によって構成され、前記第２の導水路の少なくとも一部が前記導水管と軸心を同心にして該導水管を内包する立上り管によって構成されていることを特徴とすることができる。
【０００９】
また、本発明に係る補助蛇口付の不凍水栓柱の一形態によれば、水栓柱の上部に蛇口が装着される蛇口接続口を備えると共に該水栓柱の中途部に補助蛇口が装着される補助蛇口接続口を備え、水栓柱の上端部に設けられた操作部の操作によって通水状態と水抜き状態とに切換える補助蛇口付の不凍水栓柱であって、前記蛇口に連通する第１の導水路と前記補助蛇口に連通する第２の導水路とが別々の通路として設けられ、前記第１の導水路の下端部と前記第２の導水路の下端部とが凍結深度よりも深く埋設される位置で合流することで構成される導水路合流部を備え、該導水路合流部の下側に水抜き弁機構が設けられている。
【００１０】
また、本発明に係る補助蛇口付の不凍水栓柱の一形態によれば、前記操作部と前記水抜き弁機構との間に接続されて該水抜き弁機構を動作させる動作伝達部の少なくとも一部が、水栓柱の中心軸と同軸に起立状態に配された導水管によって中空シャフト状に設けられ、該導水管が前記第１の導水路の少なくとも一部を兼ねる構成になっていることを特徴とすることができる。
また、本発明に係る補助蛇口付の不凍水栓柱の一形態によれば、前記第２の導水路の少なくとも一部が前記導水管と軸心を同心にして該導水管を内包する立上り管によって構成されていることを特徴とすることができる。
【００１１】
また、本発明に係る補助蛇口付の不凍水栓柱の一形態によれば、前記水抜き弁機構が、前記導水管に下方へ同軸に連続して設けられたスピンドル切換弁を備え、該スピンドル切換弁が通水状態となる通水位置に移動した場合には前記第１の導水路と前記第２の導水路とを前記導水路合流部を介して給水取入接続口に連通し、該スピンドル切換弁が水抜き状態となる水抜き位置に移動した場合には前記第１の導水路と前記第２の導水路とを前記導水路合流部を介して排水路に連通することを特徴とすることができる。
【００１２】
また、本発明に係る補助蛇口付の不凍水栓柱の一形態によれば、前記操作部の構成であるハンドルと該ハンドルに下方へ同軸に連続して設けられた前記導水管を介して前記スピンドル切換弁を上下動させるハンドルの操作機構が、カム機構によって構成されていることを特徴とすることができる。
【発明の効果】
【００１３】
本発明に係る補助蛇口付の水栓柱及び不凍水栓柱によれば、蛇口と補助蛇口とを備える水栓柱であっても、凍結破損が起きないという特別有利な効果を奏する。
【図面の簡単な説明】
【００１４】
【図１】本発明に係る補助蛇口付の不凍水栓柱の形態例の通水状態を示す断面図である。
【図２】本発明に係る補助蛇口付の不凍水栓柱の形態例の水抜き状態を示す断面図である。
【発明を実施するための形態】
【００１５】
以下、本発明に係る補助蛇口付の水栓柱及び不凍水栓柱の形態例を、添付図面（図１、２）と共に詳細に説明する。なお、不凍水栓柱は、水栓柱のうちの不凍栓機能を備えるもので、本発明は、水栓柱及び不凍水栓柱の両方に適用できるものである。
【００１６】
添付図面に示した形態例は、補助蛇口付の不凍水栓柱であって、水栓柱の上部に蛇口が装着される蛇口接続口１０を備えると共に、その水栓柱の中途部に補助蛇口が装着される補助蛇口接続口２０を備え、水栓柱の上端部に設けられた操作部５０の操作によって通水状態と水抜き状態とに切換えることができるものである。なお、本形態例の操作部５０はハンドル５１を含む構成になっている。
【００１７】
そして、蛇口に連通する第１の導水路１２と補助蛇口に連通する第２の導水路２２とが別々の通路として設けられ、第１の導水路の下端部１２ａと第２の導水路の下端部２２ａとが凍結深度よりも深く埋設される位置で合流している。このように合流することで、導水路合流部３０が構成されている。この導水路合流部３０は、地面１００よりも下の地中であって凍結深度よりも深く埋設されるが、その凍結深度は設置される寒冷地の各場所によって異なることになる。なお、添付図面では、その地面１００の高さ位置や補助蛇口接続口２０の高さ位置などを、高さ方向の長さに関して縮めた状態に模式的に示してあり、実際の製品の位置関係（高さ方向の位置）と一致するものではない。
【００１８】
これによれば、たとえ水抜き状態としないで凍結してしまった場合にも、その凍結は、蛇口と補助蛇口とから始まって、第１の導水路１２と第２の導水路２２とで別々に、各々の導水路内を徐々に下方へ進み、それらの凍結の圧力が凍結深度よりも深いところへ逃げることになる。このため、本発明に係る水栓柱及び不凍水栓柱の器具が凍結によって破損することはない。従って、本発明によれば、補助蛇口付の水栓柱及び不凍水栓柱を、寒冷地にも設置できるようになる。
【００１９】
また、本形態例においては、導水路合流部３０の下側に水抜き弁機構３９が設けられている。これによれば、蛇口と補助蛇口とを備えるが、水抜き操作を忘れても凍結破損することのない不凍水栓柱を適切に提供できる。従って、本発明によれば、補助蛇口付の不凍水栓柱を、寒冷地に適切に設置できるようになる。
【００２０】
そして、本形態例では、操作部５０と水抜き弁機構３９との間に接続されてその水抜き弁機構３９を動作させる動作伝達部５５の少なくとも一部が、水栓柱の中心軸と同軸に起立状態に配された導水管１５によって中空シャフト状に設けられ、その導水管１５が第１の導水路１２の少なくとも一部を兼ねる構成になっている。
これによって、補助蛇口付の不凍水栓柱を、部品点数を多く増やすことなく、コンパクト且つ合理的に構成できるという特別有利な効果を奏する。
【００２１】
また、本形態例では、第１の導水路１２の少なくとも一部が起立状態に配される導水管１５によって構成され、第２の導水路２２の少なくとも一部が導水管１５と軸心を同心にしてその導水管１５を内包する立上り管２５によって構成されている。すなわち、導水管１５の外側周と立上り管２５の内側周との間の断面形状がドーナツ状であるスペースが、第２の導水路２２になっている。
【００２２】
このように、第１の導水路１２と第２の導水路２２とが同心に形成されているため、二つ別々の導水路をコンパクトに構成できる。すなわち、従来の水栓柱の外観を変更することなく、第１の導水路１２と第２の導水路２２とを配することができるため、凍結しても破損することのない補助蛇口付の水栓柱及び不凍水栓柱を、スリムに構成することができるという特別有利な効果を奏する。
【００２３】
なお、本発明の補助蛇口付の水栓柱及び不凍水栓柱は、添付図面に示した形態例に限定されるものではなく、凍結破損を防止できる構造としては、コンパクト化は難しい面があるものの、第１の導水路１２と第２の導水路２２とを、二つの並列に立設された導水管によって構成することも可能である。
【００２４】
また、本形態例では、水抜き弁機構３９が、導水管１５に下方へ同軸に連続して設けられたスピンドル切換弁４０を備え、そのスピンドル切換弁４０が通水状態となる通水位置に移動・変位した場合には第１の導水路１２と第２の導水路２２とを導水路合流部３０を介して給水取入接続口３６に連通し、そのスピンドル切換弁４０が水抜き状態となる水抜き位置に移動・変位した場合には第１の導水路１２と第２の導水路２２とを導水路合流部３０を介して排水路３８に連通するように構成されている。
【００２５】
これによれば、第１の導水路１２と第２の導水路２２とが合流した導水路合流部３０の一部を構成するように配された一つのスピンドル切換弁４０が、その一つのスピンドル切換弁４０の変位動作による切換操作によって、第１の導水路１２と第２の導水路２２とに係る通水状態と水抜き状態との切り換えを同時に行うことができる。従って、通水状態と水抜き状態との切り換えを、適切且つ効率よく行うことができる。
【００２６】
次に、本形態例の水抜き弁機構３９の具体的構成について、添付図面に基づいて詳細に説明する。本形態例の水抜き弁機構３９は、不凍水栓柱の下部に設けられ、給水源である水道本管から接続された水道支管７０に連結して給水を取り入れる給水取入接続口３６を下端に備える基部本体３５に組み込まれて構成されている。
【００２７】
本形態例のスピンドル切換弁４０は、軸心が起立するように配されて上端面が開口された有底の円筒形状に形成され、基部本体３５に上下方向に設けられたシリンダ状穴３７内で上下方向に摺動できるように、そのシリンダ状穴３７内に挿入された状態に配されている。このスピンドル切換弁４０の下端側が塞がれた筒内通路４１には、下部で内外を連通する下部通水孔４２と、上部で内外を連通する上部通水孔４３とが、開口している。また、このスピンドル切換弁４０の上側には導水管１５が同軸に連続して固定されており、これによって筒内通路４１と第１の導水路１２とが連続した通路になっている。
【００２８】
上記のシリンダ状穴３７では、下端部で、不凍水栓柱を水抜き状態とする際に水が排水される排水路３８に連通されている下端連通部３７ａを有すると共に、中途部に、不凍水栓柱を通水状態とする際に水がスピンドル切換弁４０の下部通水孔４２を介して筒内通路４１に流入できるように開口された通水ポート部４５が設けられている。
【００２９】
また、シリンダ状穴３７は、上端が開口しており、このシリンダ状穴３７の内径よりも内径が大きい立上り管２５によって設けられている第２の導水路２２に接続されている。これによって、シリンダ状穴３７と第２の導水路２２とが連続した通路になっている。また、第２の導水路２２を構成する立上り管２５は、基部本体３５の上部に起立されて固定・水密シールされている構造になっている。
【００３０】
そして、スピンドル切換弁４０の筒内通路４１と導水管１５が連続する部分である第１の導水路の下端部１２ａと、シリンダ状穴３７と立上り管２５とが連続する部分である第２の導水路の下端部２２ａとが、スピンドル切換弁４０に設けられた上部通水孔４３によって合流される構成になっている。すなわち、本形態例では、第１の導水路の下端部１２ａ、第２の導水路の下端部２２ａ及び上部通水孔４３によって、導水路合流部３０が構成されている。
【００３１】
この導水路合流部３０は、通水状態及び水抜き状態のどちらの状態でも、第１の導水路１２と第２の導水路２２とが合流・連通するように設けられている。本形態例では、スピンドル切換弁４０の上部通水孔４３が設けられた部分よりも上側の外径が細く形成されており、その外径とシリンダ状穴３７の内径との間隙によって、図２に示すようにスピンドル切換弁４０が押し下げられた際に、第２の導水路２２が下方へ延伸するように構成されている。
【００３２】
また、図１に示すようにスピンドル切換弁４０が通水位置に変位している際に、下部通水孔４２は、通水ポート部４５と連通して、給水源側から給水された水を第１の導水路１２と第２の導水路２２とへ通水するように設けられている。これによって、本形態例の不凍水柱栓を通水状態とすることができる。
【００３３】
そして、図２に示すようにスピンドル切換弁４０が水抜き位置に変位している際には、スピンドル切換弁４０が、通水ポート部４５を塞ぎ、給水源側から給水された水の第１の導水路１２と第２の導水路２２とへの通水を阻止する。これと同時に、本形態例では、図２の拡大図に示すように、下部通水孔４２は、シリンダ状穴３７の下端連通部３７ａの拡径部３７ｂを介して排水路３８に連通するように設けられている。これによって、本形態例の不凍水柱栓を水抜き状態とすることができる。
【００３４】
また、本形態例では、図２の拡大図に示すように、スピンドル切換弁４０の下端部に、ノズル孔４７が設けられており、このノズル孔４７を介してスムースに排水路３８側へ水抜きをすることができる。このノズル孔４７は、水密シールを行うために装着される下部のＯリングパッキン４８ａを保持するためのリング溝壁部に形成されている。この構成によれば、下部のＯリングパッキン４８ａを適切に保持できると共に、水抜きをスムースに行うことができる。
【００３５】
なお、中間部のＯリングパッキン４８ｂは、スピンドル切換弁４０が水抜き位置に変位している際に、上部のＯリングパッキン４８ｃと共に通水ポート部４５を塞ぎ、給水源側から給水を止めるように設けられている。また、上部のＯリングパッキン４８ｃは、スピンドル切換弁４０の外径とシリンダ状穴３７の内径との間を水密シールし、その間における通水及び水抜きの水の流れを阻止するように設けられている。
【００３６】
本形態例の排水路３８は、添付図面に示すように、排水弁シート４９ａと弁球４９ｂとによって構成された逆止弁機構４９によって、排水の逆流を防止すると共に、一定の水圧がかかった際に開通して排水が実行されるように構成されている。また、排水キャップ４９ｃによって排水路の末端が下を向いた構成になっているため、土砂を含む逆流を防止できる構造になっている。
【００３７】
また、本形態例では、操作部５０の構成であるハンドル５１とそのハンドル５１に下方へ同軸に連続して設けられた導水管１５を介してスピンドル切換弁４０を上下動させるハンドルの操作機構が、カム機構５３によって構成されている。これによれば、ハンドル５１の回動角度を小さくすることができ、簡単な操作で、通水状態と水抜き状態の切り換えを効率的に行うことができる。
【００３８】
次に、本形態例の操作部５０の具体的構成について、図面に基づいて詳細に説明する。
本形態例の操作部５０は、ハンドル５１を構成要素とするもので、そのハンドル５１の操作による回動動作を上下動作に変換するカム機構５３と、そのカム機構５３で生じた上下動作をスピンドル切換弁４０へ伝達する動作伝達部５５とを備えるものである。
【００３９】
本形態例のカム機構は、ハンドル５１と、そのハンドル５１の回動操作に伴ってハンドル５１と一体化されて回動するように不凍水栓柱の上部に配された回動スピンドル５４と、その回動スピンドル５４の側周壁に形成された一対のカム穴５４ａに水平に装着されてそのカム穴５４ａに沿って従動して上下動できる平行ピン５４ｂと、その平行ピン５４ｂに上端部で係合されて上下方向に移動するように案内された上下従動スピンドル５６とを備える。
【００４０】
上下従動スピンドル５６は、不凍水栓柱の上部に配されて蛇口接続口１０を備える蛇口接続本体１１であって、上下方向に開口するように設けられたシリンダ状の連通孔１１ａに、上下方向に変位可能に挿入されている。この上下従動スピンドル５６の下側に、同軸に連続して第１の導水路１２を形成する導水管１５が固定されている。
【００４１】
また、この上下従動スピンドル５６の下部には、導水管１５に同軸に連続する中空部５６ａが形成されており、その中空部５６ａの内側と、中空部５６ａの外側である蛇口接続口１０に連通する部分とを連通する蛇口用連通孔５６ｂが形成されている。なお、導水管１５は、中途部の管継手部１５ａに接続されて上下に延設されて構成されており、上端部が上下従動スピンドル５６の下部に水密シールされて同軸に固定され、下端部がスピンドル切換弁４０の上部に水密シールされて同軸に固定されている。
【００４２】
この上下従動スピンドル５６と導水管１５とが接続された構成によって、本形態例の動作伝達部５５が形成されている。すなわち、本形態例の動作伝達部５５は、従来の不凍水栓柱の中実シャフト状の部材に替えて、一部の構成として導水管１５が用いられているものであって、第１の導水路１２を兼ねる構成になっている。
【００４３】
この第１の導水路１２を兼ねる中空シャフト状の動作伝達部５５は、不凍水栓柱の中途部に配されて補助蛇口接続口２０を備える補助蛇口接続本体２１であって、上下方向に開口するように設けられたシリンダ状の挿通孔２１ａに、上下方向に変位可能に挿通されている。
【００４４】
また、この中空シャフト状の動作伝達部５５を内包するように同軸に固定された立上り管２５は、下端部が基部本体３５に水密シールされて固定され、上端部が補助蛇口接続本体２１に水密シールされて固定されている。これによって、立上り管２５からシリンダ状の挿通孔２１ａを介して補助蛇口接続口２０に連通する第２の導水路２２が構成されている。
【００４５】
補助蛇口接続本体２１の補助蛇口接続口２０より上側に形成されたシリンダ状の挿通孔２１ａの内周面と、管継手部１５ａの外周面との間には、管継手部１５ａのリング溝に嵌められたＯリングパッキン１５ｂが水密シールをするように配されている。これによれば、第２の導水路２２が、補助蛇口接続本体２１のシリンダ状の挿通孔２１ａから上方へ連通して通水することを阻止している。
【００４６】
また、補助蛇口接続本体２１と蛇口接続本体１１とは、連結用の立上り管２７を介して連結されている。すなわち、この連結用の立上り管２７は、構造上の固定部材として機能するが、通水のために設けられたものではない。また、この連結用の立上り管２７は、中空であり、上下方向に挿通されて同軸に配された動作伝達部５５の上方向の動作を許容するように配されている。
【００４７】
さらに、蛇口接続本体１１の蛇口接続口１０よりも下側に設けられているシリンダ状の連通孔１１ａの内周面と、上下従動スピンドル５６の外周面との間を水密シールするＯリングパッキン５６ｃが、上下従動スピンドル５６の下部に設けられたリング溝に嵌められて配されている。このＯリングパッキン５６ｃによれば、連結用の立上り管２７の内側と、蛇口接続口１０及び第１の導水路１２とが連通しないように水密シールをすることができる。
【００４８】
また、蛇口接続本体１１の蛇口接続口１０よりも上側に設けられているシリンダ状の連通孔１１ａの内周面と、上下従動スピンドル５６の外周面との間を水密シールするＯリングパッキン５６ｄが、上下従動スピンドル５６の中途部に設けられたリング溝に嵌められて配されている。このＯリングパッキン５６ｄによれば、通水状態では、第１の導水路１２が上側のシリンダ状の挿通孔２１ａを介して大気開放とならないように、水密シールをすることができる。そして、このＯリングパッキン５６ｄによれば、水抜き状態では、第１の導水路１２が上側のシリンダ状の挿通孔２１ａを介して大気開放となるように設定されている。このように、第１の導水路１２が大気開放となることで、図２の矢印で示すように、重力と大気圧によって水抜きのための排水が好適になされる。
【００４９】
６０は外筒であり、本形態例の内部構造を保護するように設けられ、蛇口接続口１０と補助蛇口接続口２０と露出させるように開口部を備え、固定用リング１３、２３によって蛇口接続口１０と補助蛇口接続口２０とに固定されるように設けられている。
６１は緩衝材であり、外筒６０を適切に位置させると共に埋設時の土圧を適切に受け、断熱材としても機能するように、外筒６０と立上り管２５との間であって、基部本体３５の上面で受けられるように配されている。
【００５０】
以上、本発明につき好適な形態例を挙げて種々説明してきたが、本発明は以上の形態例に限定されるものではなく、発明の精神を逸脱しない範囲内で多くの改変を施し得るのは勿論のことである。
【符号の説明】
【００５１】
１０  蛇口接続口
１１  蛇口接続本体
１１ａ  シリンダ状の連通孔
１２  第１の導水路
１２ａ  第１の導水路の下端部
１３  固定用リング
１５  導水管
１５ａ  管継手部
１５ｂ  Ｏリングパッキン
２０  補助蛇口接続口
２１  補助蛇口接続本体
２１ａ  シリンダ状の挿通孔
２２  第２の導水路
２２ａ  第２の導水路の下端部
２３  固定用リング
２５  立上り管
２７  連結用の立上り管
３０  導水路合流部
３５  基部本体
３６  給水取入接続口
３７  シリンダ状穴
３７ａ  下端連通部
３７ｂ  拡径部
３８  排水路
３９  水抜き弁機構
４０  スピンドル切換弁
４１  筒内通路
４２  下部通水孔
４３  上部通水孔
４５  通水ポート部
４７  ノズル孔
４８ａ  下部のＯリングパッキン
４８ｂ  中間部のＯリングパッキン
４８ｃ  上部のＯリングパッキン
４９  逆止弁機構
４９ａ  排水弁シート
４９ｂ  弁球
４９ｃ  排水キャップ
５０  操作部
５１  ハンドル
５３  カム機構
５４  回動スピンドル
５４ａ  カム穴
５４ｂ  平行ピン
５５  動作伝達部
５６  上下従動スピンドル
５６ａ  中空部
５６ｂ  蛇口用連通孔
５６ｃ  Ｏリングパッキン
５６ｄ  Ｏリングパッキン
６０  外筒
６１  緩衝材
７０  水道支管
１００  地面
【図１】
0006710514.tif 000002
【図２】
0006710514.tif 000003